(57)【特許請求の範囲】
【請求項１】
正負の充放電端子を備え、二次電池の正負の電源端子に前記正負の充放電端子をそれぞれ接続して充放電試験を行う充放電試験装置と、前記充放電試験装置を校正するために、
前記充放電試験装置に対して前記二次電池と択一的に接続される校正ユニットとを有する充放電試験システムにおいて、
前記校正ユニットは、前記二次電池の正負の電源端子と対応する位置に配置され、前記正負の充放電端子とそれぞれ接続可能な正負の試験端子と、前記正の試験端子と前記負の試験端子との間に配置される受動回路とを有し、
前記受動回路は、前記正の試験端子と前記負の試験端子との間に接続される抵抗または基準電圧を出力する基準電池であり、
前記充放電試験装置は、前記校正ユニットの前記受動回路の電圧値を計測して定電圧計測精度、定電圧設定精度、定電流計測精度および定電流設定精度の少なくとも１つの校正を行う
ことを特徴とする充放電試験システム。
【請求項２】
請求項１に記載の充放電試験システムにおいて、
前記校正ユニットは、前記正の試験端子とは別に第２の正の試験端子と、前記負の試験端子とは別に第２の負の試験端子とをさらに有し、
前記第２の正の試験端子は、前記正の試験端子から前記受動回路に接続される配線とは別の配線により前記受動回路に接続され、
前記第２の負の試験端子は、前記負の試験端子から前記受動回路に接続される配線とは別の配線により前記受動回路に接続され、
前記充放電試験装置は、前記第２の正の試験端子と前記第２の負の試験端子との間の電圧値を計測して校正を行う
ことを特徴とする充放電試験システム。
【請求項３】
請求項１または請求項２に記載の充放電試験システムにおいて、
前記校正ユニットは、前記二次電池と同形状の筐体を有し、且つ、前記校正ユニットの前記正負の試験端子は、前記二次電池の前記正負の電源端子に対応する位置に配置される
ことを特徴とする充放電試験システム。
【請求項４】
二次電池の正負の電源端子に正負の充放電端子をそれぞれ接続して充放電試験を行う充放電試験装置を校正するために、前記充放電試験装置に対して前記二次電池と択一的に接続される校正ユニットにおいて、
前記二次電池の正負の電源端子と対応する位置に配置され、前記正負の充放電端子とそれぞれ接続可能な正負の試験端子と、
前記正の試験端子とは別の第２の正の試験端子と、前記負の試験端子とは別の第２の負の試験端子と、
前記正の試験端子と前記負の試験端子との間に配置される受動回路とを有し、
前記第２の正の試験端子は、前記正の試験端子から前記受動回路に接続される配線とは別の配線により前記受動回路に接続され、
前記第２の負の試験端子は、前記負の試験端子から前記受動回路に接続される配線とは別の配線により前記受動回路に接続され、
前記受動回路は、前記正の試験端子と前記負の試験端子との間に接続される抵抗または基準電圧を出力する基準電池である
ことを特徴とする校正ユニット。
【請求項５】
請求項４に記載の校正ユニットにおいて、
前記二次電池と同形状の筐体を有し、且つ、前記正負の試験端子は、前記二次電池の前記正負の電源端子に対応する位置に配置される
ことを特徴とする校正ユニット。
【請求項６】
正負の充放電端子を備え、二次電池の正負の電源端子に前記正負の充放電端子をそれぞれ接続して充放電試験を行う充放電試験装置と、前記充放電試験装置を校正するために、
前記充放電試験装置に対して前記二次電池と択一的に接続される校正ユニットとを有する充放電試験システムにおける校正方法であって、
前記校正ユニットは、前記二次電池の正負の電源端子と対応する位置に配置され、前記正負の充放電端子とそれぞれ接続可能な正負の試験端子と、前記正の試験端子と前記負の試験端子との間に配置される受動回路とを有し、
前記受動回路は、前記正の試験端子と前記負の試験端子との間に接続される抵抗または基準電圧を出力する基準電池であり、
前記充放電試験装置は、前記校正ユニットの前記受動回路の電圧値を計測して定電圧計測精度、定電圧設定精度、定電流計測精度および定電流設定精度の少なくとも１つの校正を行う
ことを特徴とする校正方法。
【請求項７】
請求項６に記載の校正方法において、
前記校正ユニットは、前記正の試験端子とは別に第２の正の試験端子と、前記負の試験端子とは別に第２の負の試験端子とをさらに有し、
前記第２の正の試験端子は、前記正の試験端子から前記受動回路に接続される配線とは別の配線により前記受動回路に接続され、
前記第２の負の試験端子は、前記負の試験端子から前記受動回路に接続される配線とは別の配線により前記受動回路に接続され、
前記充放電試験装置は、前記第２の正の試験端子と前記第２の負の試験端子との間の電圧値を計測して校正を行う
ことを特徴とする校正方法。
【発明の詳細な説明】
【技術分野】
【０００１】
本発明は、充放電試験システム、校正ユニットおよび校正方法に関する。
【背景技術】
【０００２】
近年、例えば、電気自動車、太陽電池システムの夜間対応、災害時の非常用蓄電池など大型の装置から携帯電話などの小型の装置に至るまで様々な分野で二次電池が使用されている。二次電池の製造者は、充放電試験装置により充電試験や放電試験を行って、二次電池の品質を維持している。また、製造者は、二次電池の試験に使用する充放電試験装置の電気的特性が試験仕様に合致しているか否かを校正ユニットにより定期的に検査して、適正な性能を維持できるように校正することが求められている（例えば特許文献１参照）。
【先行技術文献】
【特許文献】
【０００３】
【特許文献１】特開２０１３−１０６４５０号公報
【発明の概要】
【発明が解決しようとする課題】
【０００４】
ところが、従来の校正ユニットは、充放電試験装置の充放電電圧や充放電電流を計測して充放電試験装置側にフィードバックするための装置や回路を搭載するので、小型化が難しいという課題がある。例えば、二次電池と同形状の校正ユニットを被試験用の二次電池に紛れ込ませて充放電試験ラインに流す場合、計測機器や計測結果を充放電試験装置側にフィードバックする通信回路を小型の二次電池と同形状の筐体には搭載することが難しい。
【０００５】
本件開示の充放電試験システム、校正ユニットおよび校正方法は、校正ユニットに計測機器などを搭載することなく、従来技術よりも簡易な受動部品で充放電試験装置の校正を行うことができる技術を提供することを目的とする。
【課題を解決するための手段】
【０００６】
一つの観点によれば、正負の充放電端子を備え、二次電池の正負の電源端子に正負の充放電端子をそれぞれ接続して充放電試験を行う充放電試験装置と、充放電試験装置を校正するために、充放電試験装置に対して二次電池と択一的に接続される校正ユニットとを有する充放電試験システムにおいて、校正ユニットは、二次電池の正負の電源端子と対応する位置に配置され、正負の充放電端子とそれぞれ接続可能な正負の試験端子と、正の試験端子と負の試験端子との間に配置される受動回路とを有し、受動回路は、正の試験端子と負の試験端子との間に接続される抵抗または基準電圧を出力する基準電池であり、充放電試験装置は、校正ユニットの受動回路の電圧値を計測して定電圧計測精度、定電圧設定精度、定電流計測精度および定電流設定精度の少なくとも１つの校正を行う。
【０００７】
一つの観点によれば、二次電池の正負の電源端子に正負の充放電端子をそれぞれ接続して充放電試験を行う充放電試験装置を校正するために、充放電試験装置に対して二次電池と択一的に接続される校正ユニットにおいて、二次電池の正負の電源端子と対応する位置に配置され、正負の充放電端子とそれぞれ接続可能な正負の試験端子と、正の試験端子とは別の第２の正の試験端子と、負の試験端子とは別の第２の負の試験端子と、正の試験端子と負の試験端子との間に配置される受動回路とを有し、第２の正の試験端子は、正の試験端子から受動回路に接続される配線とは別の配線により受動回路に接続され、第２の負の試験端子は、負の試験端子から受動回路に接続される配線とは別の配線により受動回路に接続され、受動回路は、正の試験端子と負の試験端子との間に接続される抵抗または基準電圧を出力する基準電池である。
【０００８】
一つの観点によれば、正負の充放電端子を備え、二次電池の正負の電源端子に正負の充放電端子をそれぞれ接続して充放電試験を行う充放電試験装置と、充放電試験装置を校正するために、充放電試験装置に対して二次電池と択一的に接続される校正ユニットとを有する充放電試験システムにおける校正方法であって、校正ユニットは、二次電池の正負の電源端子と対応する位置に配置され、正負の充放電端子とそれぞれ接続可能な正負の試験端子と、正の試験端子と負の試験端子との間に配置される受動回路とを有し、受動回路は、正の試験端子と負の試験端子との間に接続される抵抗または基準電圧を出力する基準電池であり、充放電試験装置は、校正ユニットの受動回路の電圧値を計測して定電圧計測精度、定電圧設定精度、定電流計測精度および定電流設定精度の少なくとも１つの校正を行う。
【発明の効果】
【０００９】
本件開示の充放電試験システム、校正ユニットおよび校正方法は、校正ユニットに計測機器などを搭載することなく、従来技術よりも簡易な受動部品で充放電試験装置の校正を行うことができる。
【図面の簡単な説明】
【００１０】
【図１】充放電試験システムの一例を示す図である。
【図２】充放電試験システムの他の例を示す図である。
【図３】二次電池の接続例を示す図である。
【図４】比較例の充放電試験システムの一例を示す図である。
【図５】ＶＭ校正マガジンの接続例を示す図である。
【図６】ＣＶ校正マガジンの接続例を示す図である。
【図７】ＣＣ校正マガジンの接続例を示す図である。
【図８】定電圧計測精度の校正手順の一例を示す図である。
【図９】定電圧設定精度の校正手順の一例を示す図である。
【図１０】定電流計測精度および定電流設定精度の校正手順の一例を示す図である。
【発明を実施するための形態】
【００１１】
以下、図面を用いて実施形態を説明する。
（充放電試験システム１００）
図１は、本実施形態に係る充放電試験システム１００の一例を示す。図１において、充放電試験システム１００は、充放電試験装置１０１、校正ユニット１０２ａおよびパソコン１０３を有する。ここで、パソコン１０３は、試験管理装置として動作し、充放電試験装置１０１の制御や計測データの保存などを行う。或いは、パソコン１０３は、充放電試験装置１０１の校正試験の結果や校正履歴などを保存する。なお、パソコン１０３は充放電試験装置１０１に含めてもよい。また、校正ユニット１０２ａには個体識別情報（製造番号やシリアル番号など）が記憶されたＲＦＩＤ（Radio Frequency IDentification）タグ１９１が取り付けられている。充放電試験装置１０１は、ＲＦＩＤリーダ１９２によりＲＦＩＤタグ１９１の個体識別情報を読み取ってパソコン１０３に通知する。パソコン１０３は、充放電試験装置１０１から通知される個体識別情報により、接続中の校正ユニット１０２ａを識別する。そして、パソコン１０３は、校正ユニット１０２ａ毎に校正結果を管理する。なお、ＲＦＩＤタグ１９１は、後述する二次電池１５０にも取り付けられており、パソコン１０３は二次電池１５０毎に充放電試験の結果を保存する。
【００１２】
ここで、本実施形態で説明する校正ユニット１０２ａは、作業者が手動で校正ユニット１０２を充放電試験装置１０１に接続して校正を行う場合にも適用できるが、二次電池１５０の製造時に充放電試験を自動的に行う試験ラインでの使用に適している。試験ラインでは、例えば、二次電池１５０がベルトコンベアーなどで充放電試験装置１０１の前に運ばれて、充放電試験装置１０１の端子と二次電池１５０の端子とが自動的に接続される。例えば、充放電試験装置１０１のプローブの端子位置と二次電池１５０の端子位置とが同じ配置になっており、試験ラインでは、プローブを二次電池１５０に押し当てる駆動部により、充放電試験装置１０１の端子と二次電池１５０の端子とが接続される。本実施形態に係る充放電試験システム１００は、二次電池１５０の筐体と同一又は同様のサイズおよび端子位置の校正ユニット１０２を二次電池１５０に交ぜて試験ラインに流すことを前提としている。このため、校正ユニット１０２の筐体サイズを二次電池１５０に合わせることが求められ、筐体サイズが小さい二次電池１５０の場合、二次電池１５０の筐体サイズに応じて校正ユニット１０２の筐体サイズも小型化が求められる。
（充放電試験装置１０１）
図１において、充放電試験装置１０１は、充放電回路２０１、シャント抵抗２０２、電圧計２０３、電圧計２０４、電圧計２０５、制御回路２０６およびＦ／Ｂ（Feed/Back）回路２０７を有する。
【００１３】
充放電回路２０１は、充電モードと放電モードとを有する。充電モードは、充電試験を行うときの試験モードであり、充放電回路２０１は、予め設定された充電電圧および充電電流を二次電池１５０または校正ユニット１０２ａに与える。放電モードは、放電試験を行うときの試験モードであり、充放電回路２０１は、二次電池１５０または校正ユニット１０２ａから予め設定された放電電圧および放電電流が流れるように制御する。
【００１４】
シャント抵抗２０２は、充放電回路２０１と二次電池１５０または校正ユニット１０２ａとの間で流れる充電電流または放電電流を計測するための抵抗である。シャント抵抗２０２の抵抗値は、例えば１０ｍΩ程度である。
【００１５】
電圧計２０３は、シャント抵抗２０２の両端に生じる電圧値を計測する。なお、電圧計２０３が計測する電圧値は、充電電流の電流値または放電電流の電流値に相当する。
【００１６】
電圧計２０４は、正極充放電端子１１０と負極充放電端子１１１との間に接続される。作業者は、電圧計２０４により、充放電試験装置１０１から二次電池１５０または校正ユニット１０２ａに与える電圧値を確認することができる。図１の例では、正極充放電端子１１０は、配線１３０ａにより、校正ユニット１０２ａの正極タブ１２０に接続される。また、負極充放電端子１１１は、配線１３０ｂにより、校正ユニット１０２ａの負極タブ１２１に接続される。なお、配線１３０ａおよび配線１３０ｂをまとめて配線１３０と称する。配線１３０は、充放電試験装置１０１から二次電池１５０または校正ユニット１０２ａに充放電電流を流すための配線であり、例えば３０Ａ程度の電流が流れる。
【００１７】
電圧計２０５は、二次電池１５０または校正ユニット１０２ａの端子間の電圧を計測する。図１の例では、電圧計２０５の正極モニタ端子１１２は配線１３１ａにより校正ユニット１０２ａの正極タブ１２０に接続され、電圧計２０５の負極モニタ端子１１３は配線１３１ｂにより校正ユニット１０２ａの負極タブ１２１に接続される。なお、配線１３１ａおよび配線１３１ｂをまとめて配線１３１と称する。
【００１８】
制御回路２０６は、パソコン１０３からの指令に基づいて、充放電回路２０１を充電モードまたは放電モードに設定する。また、制御回路２０６は、二次電池１５０の充放電試験時や校正時に、Ｆ／Ｂ回路２０７から充放電電圧の計測値を取得して、パソコン１０３に通知する。或いは、制御回路２０６は、パソコン１０３から校正試験の指令を受けた場合に、Ｆ／Ｂ回路２０７に校正動作を開始させる。また、制御回路２０６は、ＲＦＩＤリーダ１９２が読み取った個体識別情報をパソコン１０３に通知する。
【００１９】
Ｆ／Ｂ回路２０７は、電圧計２０３または電圧計２０５から入力される計測値に基づいて充放電回路２０１を制御する。ここで、本実施形態では、Ｆ／Ｂ回路２０７と制御回路２０６とを別のブロックに分けて説明したが、Ｆ／Ｂ回路２０７と制御回路２０６とを１つのブロックにまとめてもよい。
【００２０】
パソコン１０３は、二次電池１５０の充放電試験時には、充放電試験装置１０１の制御回路２０６に試験モードを指令して二次電池１５０の試験結果を取得する。そして、パソコン１０３は、制御回路２０６から通知される二次電池１５０の個体識別情報毎に試験結果をハードディスクなどの記憶媒体に保存する。また、パソコン１０３は、充放電試験装置１０１の校正試験時には、充放電試験装置１０１の制御回路２０６に校正試験の指令を出して校正試験の結果を取得する。そして、パソコン１０３は、充放電試験装置１０１の校正試験の結果をハードディスクなどの記憶媒体に保存する。なお、パソコン１０３がＬＡＮ(Local Area Network)により他の充放電試験装置１０１にも接続されている場合、パソコン１０３は、充放電試験装置１０１毎に校正試験の結果を保存する。
（校正ユニット１０２ａ）
図１において、校正ユニット１０２ａは、受動回路３００を有する。受動回路３００は、例えば、基準電池、終端抵抗、シャント抵抗のいずれかを含む受動部品を有する。なお、受動回路３００は校正試験の種類に応じて異なり、校正試験の種類毎に異なる校正ユニット１０２ａが用いられる。
【００２１】
ここで、図１において、配線１３０には充放電電流が流れるので、充放電電流の大きさに応じた電圧降下が生じる。例えば充放電電流が大きくなると、配線１３０による電圧降下が大きくなり、充放電電流が小さくなると、配線１３０による電圧降下が小さくなる。このため、電圧計２０４が計測する電圧値と二次電池１５０や校正ユニット１０２ａの端子間の電圧値とは異なる場合がある。一方、電圧計２０５は、モニタ用の配線１３１により二次電池１５０または校正ユニット１０２ａに接続され、配線１３１に流れる電流は充放電電流と比較して無視できるほど小さい。つまり、電圧計２０５が二次電池１５０または校正ユニット１０２ａに接続される配線１３１の電圧降下が小さくなるので、電圧計２０５は、二次電池１５０や校正ユニット１０２ａの端子間の電圧値を正確に計測することができる。
【００２２】
図２は、図１に示した校正ユニット１０２ａの他の例を示す。ここで、図１に示した校正ユニット１０２ａは、正極タブ１２０と負極タブ１２１の２つの端子を有している。これに対して、図２に示した校正ユニット１０２ｂは、正極タブ１２０ａ、正極タブ１２０ｂ、負極タブ１２１ａおよび負極タブ１２１ｂの独立した４つの端子を有している。なお、図１に示した正極タブ１２０および負極タブ１２１を共通タブと称し、図２に示した正極タブ１２０ａおよび正極タブ１２０ｂを独立タブと称する。同様に、図２に示した負極タブ１２１ａおよび負極タブ１２１ｂも独立タブである。
【００２３】
ここで、以降の説明において、校正ユニット１０２ａおよび校正ユニット１０２ｂに共通する事項を説明する場合は、符号末尾のアルファベットを省略して校正ユニット１０２と表記する。なお、特定の校正ユニット１０２を指す場合は、符号末尾にアルファベットを付加して校正ユニット１０２ａのように表記する。また、後述する校正ユニット１０２ｃ、校正ユニット１０２ｄ、校正ユニット１０２ｅ、校正ユニット１０２ｆ、校正ユニット１０２ｇおよび校正ユニット１０２ｈについても同様に表記する。
【００２４】
図２において、充放電試験装置１０１の正極充放電端子１１０は、配線１３０ａにより、校正ユニット１０２ｂの正極タブ１２０ａに接続される。また、充放電試験装置１０１の負極充放電端子１１１は、配線１３０ｂにより、校正ユニット１０２ｂの負極タブ１２１ａに接続される。一方、充放電試験装置１０１の正極モニタ端子１１２は、配線１３１ａにより、校正ユニット１０２ｂの正極タブ１２０ｂに接続される。また、充放電試験装置１０１の負極モニタ端子１１３は、配線１３１ｂにより、校正ユニット１０２ｂの負極タブ１２１ｂに接続される。そして、校正ユニット１０２ｂにおいて、正極タブ１２０ｂおよび負極タブ１２１ｂは、正極タブ１２０ａおよび負極タブ１２１ａとは別に受動回路３００の内部に直接接続される。これにより、電圧計２０４は、受動回路３００の内部の電圧値を図１に示した校正ユニット１０２ａよりも精度良く計測することができる。この理由は以下の通りである。図１に示した校正ユニット１０２ａは、正極タブ１２０と受動回路３００との間の配線が共通である。これに対して、図２に示した校正ユニット１０２ｂは、正極タブ１２０ａと受動回路３００との間の配線と、正極タブ１２０ｂと受動回路３００との間の配線とが独立している。そして、正極タブ１２０ｂと受動回路３００との間の配線に流れる電流は、正極タブ１２０ａと受動回路３００との間の配線に流れる充放電電流よりも小さい。そのため、正極タブ１２０ｂと受動回路３００との配線間は、正極タブ１２０ａと受動回路３００との配線間に比べて電圧降下も小さい。同様に、校正ユニット１０２ｂは、負極タブ１２１ａと受動回路３００との間の配線と、負極タブ１２１ｂと受動回路３００との間の配線とが独立している。そして、負極タブ１２１ｂと受動回路３００との間の配線に流れる電流は、負極タブ１２１ａと受動回路３００との間の配線に流れる充放電電流よりも小さい。そのため、負極タブ１２１ｂと受動回路３００との配線間は、負極タブ１２１ａと受動回路３００の配線間に比べて電圧降下も小さい。つまり、電圧計２０５が受動回路３００に接続される配線の電圧降下が小さくなるので、電圧計２０５は、図１の場合と比較して、受動回路３００の内部の電圧値を精度良く計測することができる。
【００２５】
図３は、充放電試験装置１０１に二次電池１５０を接続する例を示す。図３において、二次電池１５０の正極タブ１２２は充放電試験装置１０１の正極充放電端子１１０に接続され、二次電池１５０の負極タブ１２３は充放電試験装置１０１の負極充放電端子１１１に接続される。なお、図３において、正極モニタ端子１１２および負極モニタ端子１１３は、二次電池１５０の正極タブ１２２および負極タブ１２３との間の電圧をモニタするときに接続する。
【００２６】
このように、本実施形態に係る充放電試験装置１０１は、二次電池が接続されているときには充放電試験を実施し、校正ユニット１０２が接続されているときには校正試験を実施することができる。
（比較例の充放電試験システム９００）
ここで、本実施形態に係る充放電試験システム１００の比較例について説明する。
【００２７】
図４は、比較例の充放電試験システム９００を示す。充放電試験システム９００は、充放電試験装置９０１、校正ユニット９０２、パソコン８０１および無線親機８０２を有する。
【００２８】
図４において、校正ユニット９０２は、計測回路９５１、制御回路９５２、無線子機９５３およびバッテリー９５４を有する。計測回路９５１は、正極タブ９２０と負極タブ９２１との間の電圧を計測する回路、正極タブ９２０から負極タブ９２１へ流れる電流を計測する回路を有する。制御回路９５２は、計測回路９５１が計測した充放電電圧の電圧値をモニタする。あるいは、制御回路９５２は、計測回路９５１が計測した充放電電流の電流値をモニタする。無線子機９５３は、制御回路９５２がモニタする電圧値または電流値の情報を無線親機８０２に送信する。バッテリー９５４は、計測回路９５１、制御回路９５２および無線子機９５３の動作に必要な電源を供給する。これにより、校正ユニット９０２は、電源を供給するための電源コードやパソコン８０１と通信するための通信ケーブルを要しないので、自由に持ち運びすることができる。
【００２９】
一方、パソコン８０１は、校正ユニット９０２の無線子機９５３から送信される充放電電圧の電圧値および充放電電流の電流値を、無線親機８０２を介して受信する。パソコン８０１は、例えば、校正ユニット９０２から受信した充放電電圧の電圧値または充放電電流の電流値を充放電試験装置９０１に通知する。充放電試験装置９０１は、例えば、充放電電圧の設定電圧値とパソコン８０１から通知された充放電電圧の電圧値との差が予め設定された許容範囲内に収まるように、充放電試験装置１０１から出力する充放電電圧の設定精度を校正する。或いは、充放電試験装置９０１は、例えば、充放電電流の設定電流値とパソコン８０１から通知された充放電電流の電流値との差が予め設定された許容範囲内に収まるように、充放電試験装置１０１から出力する充放電電流の設定精度を校正する。なお、充放電試験装置９０１の計測精度の校正は、校正ユニット９０２の計測回路９５１に対して定期的に実施することが求められる。
【００３０】
このようにして、比較例の充放電試験システム９００は、校正ユニット９０２の計測値を無線で校正ユニット９０２からパソコン８０１に送信して、充放電試験装置９０１の校正を行っていた。このため、比較例の校正ユニット９０２には、計測回路９５１、制御回路９５２、無線子機９５３およびバッテリー９５４などが搭載され、小型化が難しいという課題があった。例えば、自動車用や家庭用などの二次電池１５０の筐体サイズは、携帯機器などの二次電池１５０に比べて大きいので、校正ユニット９０２のように、計測回路９５１、制御回路９５２、無線子機９５３およびバッテリー９５４などを搭載することができる。しかし、携帯機器などの二次電池１５０の筐体サイズは自動車などの二次電池１５０に比べて小さいので、計測回路９５１、制御回路９５２、無線子機９５３およびバッテリー９５４などを筐体内に搭載することは難しい。
【００３１】
これに対して、本実施形態に係る校正ユニット１０２は、計測回路９５１、制御回路９５２、無線子機９５３およびバッテリー９５４などを搭載せず、図１または図２に示した受動回路３００により校正を行うことができる。受動回路３００は、充放電電圧や充放電電流の計測点を配線１３１により充放電試験装置１０１側にフィードバックして、充放電試験装置１０１が校正ユニット１０２の内部の計測点における電圧値などを直接計測する。そして、充放電試験装置１０１は、校正ユニット１０２からフィードバックされる電圧値などに基づいて校正を行う。
【００３２】
このように、本実施形態では、充放電試験装置１０１が校正ユニット１０２の内部の計測点における電圧値などを直接計測する。このため、受動回路３００は、計測点の電圧を配線１３１により充放電試験装置１０１側にフィードバックする回路を有していればよく、図４に示した校正ユニット９０２のような回路の搭載が不要になる。これにより、校正ユニット１０２は、校正ユニット９０２よりも小型化が可能になる。
（定電圧計測精度の校正）
図５は、定電圧計測精度の校正ユニット１０２の一例を示す。ここで、定電圧計測精度の校正ユニット１０２をＶＭ(Voltage Measurement)校正マガジン１０２ｃと称する。図５（ａ）に示したＶＭ校正マガジン１０２ｃは、図１に示した共通タブの校正ユニット１０２ａに対応し、正極タブ１２０と負極タブ１２１とを有する。また、図５（ｂ）に示したＶＭ校正マガジン１０２ｄは、図２に示した独立タブの校正ユニット１０２ｂに対応し、正極タブ１２０ａ、負極タブ１２１ａ、正極タブ１２０ｂおよび負極タブ１２１ｂとを有する。
【００３３】
図５（ａ）において、ＶＭ校正マガジン１０２ｃは、充放電試験装置１０１の電圧計２０５が計測する電圧値を校正するために使用される。ＶＭ校正マガジン１０２ｃは、正極タブ１２０と負極タブ１２１との間に基準電池３０１を有する。基準電池３０１は、予め決められた基準電圧を出力する電池である。ここで、予め決められた基準電圧は、例えば１０ｍＶ以下の電圧、５Ｖから５００Ｖ程度の電圧など、充放電試験装置１０１の校正内容に応じて設定される。本実施形態では、基準電圧が１０ｍＶ以下の電圧による校正試験を低電圧計測精度の校正試験と称する。また、基準電圧が５Ｖから５００Ｖ程度の電圧による校正試験を高電圧計測精度の校正試験と称する。なお、本実施形態では、基準電圧に応じて複数のＶＭ校正マガジン１０２ｃが準備され、例えば低電圧計測精度のＶＭ校正マガジン１０２ｃと、高電圧計測精度のＶＭ校正マガジン１０２ｃとが使用される。
【００３４】
校正を開始する場合、図５（ａ）に示すように、例えば電圧が１０ｍＶの基準電池３０１が搭載されるＶＭ校正マガジン１０２ｃが充放電試験装置１０１に接続される。充放電試験装置１０１は、ＲＦＩＤリーダ１９２によりＶＭ校正マガジン１０２ｃのＲＦＩＤタグ１９１の個体識別情報を読み取ってパソコン１０３に通知する。パソコン１０３は、充放電試験装置１０１から受け取った個体識別情報により、ＶＭ校正マガジン１０２ｃが接続されたことを認識して、充放電試験装置１０１に定電圧計測精度の校正を行うように制御回路２０６に指示する。なお、充放電試験装置１０１からパソコン１０３に通知せずに、制御回路２０６がＶＭ校正マガジン１０２ｃの接続を認識して、定電圧計測精度の校正を行うようにしてもよい。
【００３５】
制御回路２０６は、校正試験を開始して充放電回路２０１をオフの状態に設定する。これにより、正極充放電端子１１０と負極充放電端子１１１との間は、電圧計２０４が接続されているが、実質的な開放状態になる。そして、制御回路２０６は、Ｆ／Ｂ回路２０７に電圧計２０５から読み取る電圧値の校正を指示する。Ｆ／Ｂ回路２０７は、電圧計２０５から読み取った電圧値が基準電池３０１の基準電圧(例えば１０ｍＶ)になっているか否かを判別する。そして、Ｆ／Ｂ回路２０７は、電圧計２０５から読み取った電圧値と基準電池３０１の基準電圧との差が予め決められた許容範囲内にない場合、差をオフセットとして電圧計２０５から読み取る電圧値を補正する。以降、次の校正が行われるまで、Ｆ／Ｂ回路２０７は、電圧計２０５から読み取る電圧値をオフセット分だけ補正した電圧値を二次電池１５０や校正ユニット１０２から読み取った電圧値として扱う。
【００３６】
ここで、定電圧計測精度の校正試験は、基準電池３０１の基準電圧が１０ｍＶ以下の低電圧計測精度の校正と、基準電池３０１の基準電圧が５Ｖから５００Ｖ（例えば３０Ｖなど）程度の高電圧計測精度の校正との両方が実施される。この理由は、例えば１０ｍＶの低電圧時の電圧計２０５の精度と、例えば３０Ｖの高電圧時の電圧計２０５の精度とが異なる場合があるためである。
【００３７】
このようにして、図５（ａ）に示したＶＭ校正マガジン１０２ｃを用いて充放電試験装置１０１の定電圧計測精度の校正が行われ、充放電試験装置１０１に二次電池１５０が接続されたときに電圧計２０５が読み取る電圧値の精度を維持することができる。
【００３８】
一方、図５（ｂ）に示したＶＭ校正マガジン１０２ｄは、正極タブ１２０ａと負極タブ１２１ａとの間に基準電池３０１を有する。ＶＭ校正マガジン１０２ｄがＶＭ校正マガジン１０２ｃと異なる点は、基準電池３０１の正極が配線１４０により正極タブ１２０ｂに接続され、基準電池３０１の負極が配線１４１により負極タブ１２１ｂに接続されていることである。そして、電圧計２０５の正極モニタ端子１１２は、配線１３１ａにより、正極タブ１２０ｂに接続され、電圧計２０５の負極モニタ端子１１３は、配線１３１ｂにより、負極タブ１２１ｂに接続されている。これにより、電圧計２０５は、基準電池３０１の両端の電圧を直接読み取ることができる。なお、定電圧計測精度の校正の場合は配線１３０に充放電電流が流れない。このため、ＶＭ校正マガジン１０２ｄを接続して電圧計２０５が読み取った基準電池３０１の電圧値の精度と、図５（ａ）に示した共通タブのＶＭ校正マガジン１０２ｃを接続して電圧計２０５が読み取った基準電池３０１の電圧値の精度との差はほとんどない。したがって、定電圧計測精度の校正試験は、ＶＭ校正マガジン１０２ｃおよびＶＭ校正マガジン１０２ｄのいずれを用いて実施してもよい。
（定電圧設定精度の校正）
図６は、定電圧設定精度の校正ユニット１０２の一例を示す。ここで、定電圧設定精度の校正ユニット１０２をＣＶ(Constant Voltage)校正マガジン１０２ｅまたはＣＶ校正マガジン１０２ｆと称する。図６（ａ）に示したＣＶ校正マガジン１０２ｅは、図１に示した共通タブの校正ユニット１０２ａに対応し、正極タブ１２０と負極タブ１２１とを有する。また、図６（ｂ）に示したＣＶ校正マガジン１０２fは、図２に示した独立タブの校正ユニット１０２ｂに対応し、正極タブ１２０ａ、負極タブ１２１ａ、正極タブ１２０ｂおよび負極タブ１２１ｂとを有する。
【００３９】
ＣＶ校正マガジン１０２ｅおよびＣＶ校正マガジン１０２ｆは、充放電試験装置１０１の定電圧試験モード（ＣＶ試験モード）の電圧値を校正するために使用される。例えば、図６（ａ）において、ＣＶ校正マガジン１０２ｅが充放電試験装置１０１に接続されると、充放電試験装置１０１は、ＲＦＩＤリーダ１９２によりＣＶ校正マガジン１０２ｅのＲＦＩＤタグ１９１の個体識別情報を読み取ってパソコン１０３に通知する。パソコン１０３は、充放電試験装置１０１から受け取った個体識別情報により、ＣＶ校正マガジン１０２ｅが接続されたことを認識して、充放電試験装置１０１に定電圧設定精度の校正を行うように制御回路２０６に指示する。ここで、充放電試験装置１０１からパソコン１０３に通知せずに、制御回路２０６がＣＶ校正マガジン１０２ｅの接続を認識して、定電圧計測精度の校正を行うようにしてもよい。
【００４０】
図６（ａ）において、ＣＶ校正マガジン１０２ｅは、正極タブ１２０と負極タブ１２１との間に接続された終端抵抗３０２を有する。終端抵抗３０２は、電流を計測するシャント抵抗２０２などに比べて電流がほとんど流れない高抵抗(例えば数ＭΩ程度）が用いられる。終端抵抗３０２は、正極タブ１２０と負極タブ１２１との間に与えられる定電圧(例えば５Ｖや３００Ｖなど)を終端する。終端抵抗３０２の両端の電圧値は、正極タブ１２０と負極タブ１２１との間の電圧値として出力される。正極タブ１２０は配線１３１ａにより充放電試験装置１０１の正極モニタ端子１１２に接続され、負極タブ１２１は配線１３１ｂにより充放電試験装置１０１の負極モニタ端子１１３に接続されている。これにより、電圧計２０５は、終端抵抗３０２の両端の電圧値を正極モニタ端子１１２と負極モニタ端子１１３との間の電圧値として計測することができる。
【００４１】
図６（ａ）において、ＣＶ試験モードの校正試験が開始されると、制御回路２０６は、充放電回路２０１をＣＶ試験モードに設定する。これを受けて、充放電回路２０１は、予め設定された定電圧(例えば５Ｖ)を出力する。充放電回路２０１が出力する電圧は、シャント抵抗２０２を介して正極充放電端子１１０と負極充放電端子１１１との間に出力される。正極充放電端子１１０は、配線１３０ａにより、ＣＶ校正マガジン１０２ｅの正極タブ１２０に接続され、負極充放電端子１１１は、配線１３０ｂにより、ＣＶ校正マガジン１０２ｅの負極タブ１２１に接続されている。これにより、正極充放電端子１１０と負極充放電端子１１１との間に出力される電圧は、ＣＶ校正マガジン１０２ｅの正極タブ１２０と負極タブ１２１との間に接続される終端抵抗３０２の両端に与えられる。
【００４２】
ここで、ＣＶ校正マガジン１０２ｅの内部の配線による電圧降下を無視すると、終端抵抗３０２の両端に与えられる電圧の電圧値は、正極タブ１２０と負極タブ１２１との間の電圧値に等しい。そして、正極タブ１２０と負極タブ１２１との間の電圧値は、配線１３１により接続される正極モニタ端子１１２と負極モニタ端子１１３との間の電圧値として、電圧計２０５により計測される。
【００４３】
制御回路２０６は、Ｆ／Ｂ回路２０７にＣＶ試験モードの定電圧設定精度の校正を指示する。Ｆ／Ｂ回路２０７は、電圧計２０５から読み取った電圧値が予め設定されたＣＶ試験モードの電圧(例えば５Ｖ)になっているか否かを判別する。そして、Ｆ／Ｂ回路２０７は、電圧計２０５から読み取った電圧値とＣＶ試験モードで設定された電圧値との差が予め決められた許容範囲内にない場合、差が許容範囲内に収まるように、充放電回路２０１の出力電圧を調整する。例えば、ＣＶ試験モードで設定された電圧値が５Ｖ、電圧計２０５が計測した電圧値が４．９Ｖ、許容範囲が±０．０５Ｖである場合、Ｆ／Ｂ回路２０７は、充放電回路２０１が出力する電圧値が高くなるように調整する。逆に、ＣＶ試験モードで設定された電圧値が５Ｖ、電圧計２０５が計測した電圧値が５．１Ｖ、許容範囲が±０．０５Ｖである場合、Ｆ／Ｂ回路２０７は、充放電回路２０１が出力する電圧値が低くなるように調整する。
【００４４】
このようにして、本実施形態に係る充放電試験システム１００は、図６（ａ）に示したＣＶ校正マガジン１０２ｅを用いて、充放電試験装置１０１の定電圧設定精度の校正を実施する。これにより、ＣＶ試験モードにおいて、充放電試験装置１０１に二次電池１５０が接続されたときに二次電池１５０に与える充放電電圧の電圧値の精度を維持することができる。
【００４５】
一方、図６（ｂ）に示したＣＶ校正マガジン１０２fは、正極タブ１２０ａと負極タブ１２１ａとの間に終端抵抗３０２が接続される。ここで、ＣＶ校正マガジン１０２ｆにおいて、正極タブ１２０ｂは、正極タブ１２０ａと終端抵抗３０２との間の配線とは別に、終端抵抗３０２にできるだけ近い部分に配線１４０により接続されている。これにより、正極タブ１２０ａと終端抵抗３０２との間の配線に流れる電流による電圧降下の影響を受けないようにすることができる。同様に、負極タブ１２１ｂは、負極タブ１２１ａと終端抵抗３０２との間の配線とは別に、終端抵抗３０２にできるだけ近い部分に配線１４１により接続されている。これにより、負極タブ１２１ａと終端抵抗３０２との間の配線に流れる電流による電圧降下の影響を受けないようにすることができる。なお、図６（ａ）で説明したように、終端抵抗３０２は、電流がほとんど流れないので、図６（ａ）のＣＶ校正マガジン１０２ｅと図６(ｂ)のＣＶ校正マガジン１０２ｆとの間に精度の差はほとんどない。したがって、ＣＶ校正マガジン１０２ｅまたはＣＶ校正マガジン１０２ｆのいずれを用いてもよい。
【００４６】
このようにして、本実施形態に係る充放電試験システム１００は、図６（ｂ）に示したＣＶ校正マガジン１０２ｆを用いて、充放電試験装置１０１の定電圧設定精度の校正が行われる。これにより、ＣＶ試験モードにおいて、充放電試験装置１０１に二次電池１５０が接続されたときに二次電池１５０に与える充放電電圧の電圧値の精度を維持することができる。
（定電流設定精度の校正）
図７は、定電流設定精度の校正ユニット１０２の一例を示す。ここで、定電流設定精度の校正ユニット１０２をＣＣ(Constant Current)校正マガジン１０２ｇまたはＣＣ校正マガジン１０２ｈと称する。図７（ａ）に示したＣＣ校正マガジン１０２ｇは、図１に示した共通タブの校正ユニット１０２ａに対応し、正極タブ１２０と負極タブ１２１とを有する。また、図７（ｂ）に示したＣＣ校正マガジン１０２ｈは、図２に示した独立タブの校正ユニット１０２ｂに対応し、正極タブ１２０ａ、負極タブ１２１ａ、正極タブ１２０ｂおよび負極タブ１２１ｂとを有する。
【００４７】
ＣＣ校正マガジン１０２ｇおよびＣＣ校正マガジン１０２ｈは、充放電試験装置１０１の定電流試験モード（ＣＣ試験モード）で二次電池１５０に流れる電流値を校正するために使用される。例えば、図７（ａ）において、ＣＣ校正マガジン１０２ｇが充放電試験装置１０１に接続されると、充放電試験装置１０１は、ＲＦＩＤリーダ１９２によりＣＣ校正マガジン１０２ｇのＲＦＩＤタグ１９１の個体識別情報を読み取ってパソコン１０３に通知する。パソコン１０３は、充放電試験装置１０１から受け取った個体識別情報により、ＣＣ校正マガジン１０２ｇが接続されたことを認識して、充放電試験装置１０１に定電流設定精度の校正を行うように制御回路２０６に指示する。ここで、充放電試験装置１０１からパソコン１０３に通知せずに、制御回路２０６がＣＣ校正マガジン１０２ｇの接続を認識して、定電流計測精度の校正を行うようにしてもよい。
【００４８】
図７（ａ）において、ＣＣ校正マガジン１０２ｇは、正極タブ１２０と負極タブ１２１との間に接続されたシャント抵抗３０３を有する。シャント抵抗３０３は、シャント抵抗２０２と同様に、正極タブ１２０から負極タブ１２１に流れる充放電電流を計測するための抵抗（例えば１０ｍΩ程度の低抵抗）である。シャント抵抗３０３の両端の電圧値は、正極タブ１２０と負極タブ１２１との間の電圧値として出力される。正極タブ１２０は配線１３１ａにより充放電試験装置１０１の正極モニタ端子１１２に接続され、負極タブ１２１は配線１３１ｂにより充放電試験装置１０１の負極モニタ端子１１３に接続されている。これにより、電圧計２０５は、シャント抵抗３０３の両端の電圧値を正極モニタ端子１１２と負極モニタ端子１１３との間の電圧値として計測することができる。
【００４９】
図７（ａ）において、ＣＣ試験モードの校正試験が開始されると、制御回路２０６は、充放電回路２０１をＣＣ試験モードに設定する。これを受けて、充放電回路２０１は、予め設定された定電流(例えば３０Ａ)を出力する。充放電回路２０１が出力する電流は、シャント抵抗２０２を介して正極充放電端子１１０から出力される。正極充放電端子１１０は、配線１３０ａにより、ＣＣ校正マガジン１０２ｇの正極タブ１２０に接続され、負極充放電端子１１１は、配線１３０ｂにより、ＣＣ校正マガジン１０２ｇの負極タブ１２１に接続されている。これにより、正極充放電端子１１０から出力された電流は、ＣＣ校正マガジン１０２ｇの正極タブ１２０に入力され、シャント抵抗３０３を通って負極タブ１２１から負極充放電端子１１１に流れる。そして、シャント抵抗３０３を流れる電流の電流値は、シャント抵抗３０３の両端の電圧値に変換される。シャント抵抗３０３の両端に生じる電圧値は、正極タブ１２０と負極タブ１２１との間の電圧値として出力される。
【００５０】
ここで、ＣＣ校正マガジン１０２ｇの内部の配線による電圧降下を無視すると、シャント抵抗３０３の両端に生じる電圧の電圧値は、正極タブ１２０と負極タブ１２１との間の電圧値に等しい。なお、ＣＣ校正マガジン１０２ｇの内部の配線は、正極タブ１２０からシャント抵抗３０３までの配線と、シャント抵抗３０３から負極タブ１２１までの配線である。そして、正極タブ１２０と負極タブ１２１との間に出力される電圧値は、配線１３１により接続される正極モニタ端子１１２と負極モニタ端子１１３との間の電圧値として、電圧計２０５により計測される。
【００５１】
制御回路２０６は、Ｆ／Ｂ回路２０７にＣＣ試験モードにおける定電流設定精度の校正を指示する。Ｆ／Ｂ回路２０７は、電圧計２０５から読み取った電圧値を変換した電流値とＣＣ試験モードで設定された定電流値との差が予め決められた許容範囲内にない場合、差が許容範囲内に収まるように、充放電回路２０１の出力電流を調整する。例えば、ＣＣ試験モードで設定された電流値が３０Ａ、電圧計２０５から読み取って変換した電流値が２８Ａ、許容範囲が±０．０５Ａである場合、Ｆ／Ｂ回路２０７は、充放電回路２０１が出力する電流値が大きくなるように充放電回路２０１を調整する。逆に、ＣＣ試験モードで設定された電流値が３０Ａ、電圧計２０５から読み取って変換した電流値が３２Ａ、許容範囲が±０．０５Ａである場合、Ｆ／Ｂ回路２０７は、充放電回路２０１が出力する電流値が小さくなるように充放電回路２０１を調整する。
【００５２】
このようにして、図７（ａ）に示したＣＣ校正マガジン１０２ｇを用いて充放電試験装置１０１の定電流設定精度の校正が行われる。これにより、ＣＣ試験モードにおいて、充放電試験装置１０１に二次電池１５０が接続されたときに二次電池１５０に流れる充放電電流の電流値の精度を維持することができる。
【００５３】
ここで、正極タブ１２０からシャント抵抗３０３に流れる充放電電流が大きいほど正極タブ１２０とシャント抵抗３０３との間の配線における電圧降下が大きくなる。同様に、シャント抵抗３０３から負極タブ１２１に流れる充放電電流が大きいほどシャント抵抗３０３と負極タブ１２１との間の配線における電圧降下が大きくなる。これにより、充放電電流が大きくなるにつれて、シャント抵抗３０３の両端の電圧値と、正極タブ１２０と負極タブ１２１との間の電圧値との差が大きくなる。このため、電圧計２０５は、シャント抵抗３０３に流れる電流の電流値を正確に計測することが難しいという問題が生じる。
【００５４】
一方、図７（ｂ）に示したＣＣ校正マガジン１０２ｈは、正極タブ１２０ａと負極タブ１２１ａとの間にシャント抵抗３０３が接続される。そして、ＣＶ校正マガジン１０２ｆにおいて、正極タブ１２０ｂは、正極タブ１２０ａとシャント抵抗３０３との間の配線とは別の配線１４０により、シャント抵抗３０３にできるだけ近い部分に接続されている。これにより、正極タブ１２０ｂと負極タブ１２１ｂとの間に出力される電圧値は、正極タブ１２０ａとシャント抵抗３０３との間の配線に流れる電流による電圧降下の影響を受けないようにすることができる。同様に、負極タブ１２１ｂは、負極タブ１２１ａとシャント抵抗３０３との間の配線とは別の配線１４１により、シャント抵抗３０３にできるだけ近い部分に接続されている。これにより、正極タブ１２０ｂと負極タブ１２１ｂとの間に出力される電圧値は、負極タブ１２１ａとシャント抵抗３０３との間の配線に流れる電流による電圧降下の影響を受けないようにすることができる。したがって、ＣＣ校正マガジン１０２ｈは、ＣＣ校正マガジン１０２ｇよりも精度の高い校正を行うことができる。なお、図７（ｂ）に示したＣＣ校正マガジン１０２ｈにおける定電流設定精度の校正方法は、図７（ａ）に示したＣＣ校正マガジン１０２ｇの場合と同様に実行される。
【００５５】
このようにして、図７（ｂ）に示したＣＣ校正マガジン１０２ｈを用いて、充放電試験装置１０１の定電流設定精度の校正が行われる。これにより、ＣＣ試験モードにおいて、充放電試験装置１０１に二次電池１５０が接続されたときに二次電池１５０に与える充放電電流の電流値の精度を維持することができる。
（定電流計測精度の校正）
次に、定電流計測精度の校正について説明する。ここで、定電流計測精度の校正ユニット１０２は、図７で説明した定電流設定精度の場合と同じ校正ユニット１０２（ＣＣ校正マガジン１０２ｇまたはＣＣ校正マガジン１０２ｈ）が用いられる。
【００５６】
定電流計測精度の校正において、ＣＣ校正マガジン１０２ｇまたはＣＣ校正マガジン１０２ｈは、電圧計２０３から読み取る電圧値を変換した電流値の計測精度を校正するために使用される。なお、ＣＣ校正マガジン１０２ｇまたはＣＣ校正マガジン１０２ｈは、先に説明した定電流設定精度の校正にも用いられるので、定電流計測精度の校正は、定電流設定精度の校正を行った後、連続して実施するのが効率的である。例えば、図７（ａ）において、ＣＣ校正マガジン１０２ｇが充放電試験装置１０１に接続されると、充放電試験装置１０１は、ＲＦＩＤリーダ１９２によりＣＶ校正マガジン１０２ｅのＲＦＩＤタグ１９１の個体識別情報を読み取ってパソコン１０３に通知する。パソコン１０３は、充放電試験装置１０１から受け取った個体識別情報により、ＣＣ校正マガジン１０２ｇが接続されたことを認識して、充放電試験装置１０１に定電流設定精度の校正を行うように制御回路２０６に指示する。そして、パソコン１０３は、定電流設定精度の校正が終了後に、定電流計測精度の校正を行うように制御回路２０６に指示する。ここで、充放電試験装置１０１からパソコン１０３に通知せずに、制御回路２０６がＣＣ校正マガジン１０２ｇの接続を認識して、定電流設定精度の校正および定電圧計測精度の校正を行うようにしてもよい。
【００５７】
制御回路２０６は、Ｆ／Ｂ回路２０７にＣＣ試験モードの定電流計測精度の校正を指示する。これにより、充放電回路２０１は、予め設定された定電流(例えば３０Ａ)を出力する。充放電回路２０１が出力する電流は、シャント抵抗２０２を介して正極充放電端子１１０からＣＣ校正マガジン１０２ｇの正極タブ１２０に出力され、負極タブ１２１から充放電試験装置１０１の負極充放電端子１１１に流れる。ここで、電圧計２０３は、シャント抵抗２０２に流れる充放電電流の電流値をシャント抵抗２０２の両端の電圧値に変換してＦ／Ｂ回路２０７に出力する。
【００５８】
Ｆ／Ｂ回路２０７は、電圧計２０３から読み取った電圧値を変換した電流値とＣＣ試験モードで設定された定電流値との差が予め決められた許容範囲内にない場合、差が許容範囲内に収まるように、充放電回路２０１の出力電流を調整する。例えば、ＣＣ試験モードで設定された電流値が３０Ａ、電圧計２０３から読み取って変換した電流値が２８Ａ、許容範囲が±０．０５Ａである場合、Ｆ／Ｂ回路２０７は、充放電回路２０１が出力する電流値が大きくなるように調整する。逆に、ＣＣ試験モードで設定された電流値が３０Ａ、電圧計２０３から読み取って変換した電流値が３２Ａ、許容範囲が±０．０５Ａである場合、Ｆ／Ｂ回路２０７は、充放電回路２０１が出力する電流値が小さくなるように調整する。
【００５９】
このようにして、図７（ａ）に示したＣＣ校正マガジン１０２ｇを用いて充放電試験装置１０１の定電流計測精度の校正が行われ、充放電試験装置１０１に二次電池１５０が接続されたときに電圧計２０３から読み取る電流値の精度を維持することができる。
【００６０】
一方、図７（ｂ）に示したＣＣ校正マガジン１０２ｈは、先に説明した定電流設定精度の校正のように、シャント抵抗３０３に流れる電流値が設定された電流値になっているか否かを校正するために用いられる。定電流計測精度の校正試験は、充放電試験装置１０１の電圧計２０３により読み取るシャント抵抗２０２に流れる電流の電流値の精度を校正する試験である。したがって、校正ユニット１０２は、ＣＣ校正マガジン１０２ｇおよびＣＣ校正マガジン１０２ｈのいずれを用いてもよい。
【００６１】
また、図５で説明した定電圧計測精度の校正と同様に、定電流計測精度の校正についても、シャント抵抗２０２に流れる電流値の設定の大小に応じて、大電流計測精度と小電流計測精度とに分けて校正を行うようにしてもよい。
（定電圧計測精度の校正手順）
図８は、定電圧計測精度の校正手順の一例を示す。なお、定電圧計測精度の校正は、図５で説明したＶＭ校正マガジン１０２ｃまたはＶＭ校正マガジン１０２ｄを使用する。
【００６２】
ステップＳ１０１において、ＶＭ校正マガジン１０２ｃまたはＶＭ校正マガジン１０２ｄが充放電試験装置１０１に接続される。ここで、ＶＭ校正マガジン１０２ｃまたはＶＭ校正マガジン１０２ｄは、低電圧用の基準電池３０１を有する。そして、制御回路２０６は、ＲＦＩＤリーダ１９２により、ＶＭ校正マガジン１０２ｃまたはＶＭ校正マガジン１０２ｄのＲＦＩＤタグ１９１の個体識別情報を読み取って、校正ユニット１０２が接続されたことを認識する。制御回路２０６は、個体識別情報と校正ユニット１０２の種類との対応を示すテーブルを保持しており、充放電試験装置１０１に接続された校正ユニット１０２がＶＭ校正マガジン１０２ｃまたはＶＭ校正マガジン１０２ｄであることを判別する。或いは、個体識別情報と校正ユニット１０２の種類との対応を示すテーブルの保守管理を行い易いように、パソコン１０３がテーブルの情報を保持してもよい。この場合、制御回路２０６は、ＲＦＩＤリーダ１９２で読み取った個体識別情報をパソコン１０３に通知して、パソコン１０３から接続された校正ユニット１０２の種類や二次電池１５０の情報を取得するようにしてもよい。いずれの場合であっても、制御回路２０６は、充放電試験装置１０１に接続された校正ユニット１０２の種類に応じた校正処理を開始し、充放電回路２０１やＦ／Ｂ回路２０７を制御する。ここで、二次電池１５０と共に試験ライン上に流れてくるＶＭ校正マガジン１０２ｃまたはＶＭ校正マガジン１０２ｄが充放電試験装置１０１に自動的に接続されてもよいし、保守作業者がＶＭ校正マガジンと充放電試験装置１０１との接続を行ってもよい。
【００６３】
ステップＳ１０２において、Ｆ／Ｂ回路２０７は、制御回路２０６の制御により、電圧計２０５から電圧値を読み取る。
【００６４】
ステップＳ１０３において、Ｆ／Ｂ回路２０７は、電圧計２０５から読み取った電圧値と基準電池３０１の電圧値との電圧差を算出する。基準電池３０１の電圧値は、制御回路２０６に校正ユニット１０２の個体識別番号に対応付けて予め記憶されている。そして、制御回路２０６は、ＲＦＩＤリーダ１９２により読み取った校正ユニット１０２の個体識別番号に基づいて基準電池３０１の電圧値を判別し、Ｆ／Ｂ回路２０７に通知する。或いは、ＲＦＩＤタグ１９１に基準電池３０１の電圧値の情報を予め記憶しておき、制御回路２０６がＲＦＩＤリーダ１９２から基準電池３０１の電圧値の情報を読み取るようにしてもよい。
【００６５】
ステップＳ１０４において、Ｆ／Ｂ回路２０７は、ステップＳ１０３で算出した電圧差が予め設定された許容範囲内であるか否かを判別する。電圧差が予め設定された許容範囲内である場合(Yes)、処理はステップＳ１０６に進み、電圧差が許容範囲外である場合(No)、処理はステップＳ１０５に進む。
【００６６】
ステップＳ１０５において、Ｆ／Ｂ回路２０７は、電圧計２０５から読み取った電圧値をステップＳ１０３で算出した電圧差分だけ補正した値を電圧計２０５の電圧値として扱うように設定する。これにより、低電圧時における電圧計２０５の計測精度の校正が終了する。
【００６７】
ステップＳ１０６において、ステップＳ１０１と同様に、高電圧用の基準電池３０１を有するＶＭ校正マガジン１０２ｃまたはＶＭ校正マガジン１０２ｄが充放電試験装置１０１に接続される。そして、制御回路２０６は、ＲＦＩＤリーダ１９２で読み取ったＶＭ校正マガジン１０２ｃまたはＶＭ校正マガジン１０２ｄのＲＦＩＤタグ１９１の個体識別情報により、高電圧用の基準電池３０１を有することを認識し、校正処理を開始する。
【００６８】
ステップＳ１０７において、ステップＳ１０２と同様に、Ｆ／Ｂ回路２０７は、制御回路２０６の制御により、電圧計２０５から電圧値を読み取る。
【００６９】
ステップＳ１０８において、ステップＳ１０３と同様に、Ｆ／Ｂ回路２０７は、電圧計２０５から読み取った電圧値と基準電池３０１の電圧値との電圧差を算出する。
【００７０】
ステップＳ１０９において、ステップＳ１０４と同様に、Ｆ／Ｂ回路２０７は、ステップＳ１０７で算出した電圧差が予め設定された許容範囲内であるか否かを判別する。電圧差が予め設定された許容範囲内である場合(Yes)、処理は終了し、電圧差が許容範囲外である場合(No)、処理はステップＳ１１０に進む。
【００７１】
ステップＳ１１０において、ステップＳ１０５と同様に、Ｆ／Ｂ回路２０７は、電圧計２０５から読み取った電圧値をステップＳ１０８で算出した電圧差分だけ補正した値を電圧計２０５の電圧値として扱うように設定する。これにより、高電圧時における電圧計２０５の計測精度の校正が終了する。
【００７２】
このようにして、本実施形態に係る充放電試験システム１００は、校正ユニット１０２のＶＭ校正マガジン１０２ｃおよびＶＭ校正マガジン１０２ｄにより、充放電試験装置１０１の定電圧計測精度を校正することができる。
（定電圧設定精度の校正手順）
図９は、定電圧設定精度の校正手順の一例を示す。なお、定電圧計測精度の校正は、図６で説明したＣＶ校正マガジン１０２ｅまたはＣＶ校正マガジン１０２ｆを使用する。
【００７３】
ステップＳ２０１において、ＣＶ校正マガジン１０２ｅまたはＣＶ校正マガジン１０２ｆが充放電試験装置１０１に接続される。そして、制御回路２０６は、ＲＦＩＤリーダ１９２により、ＣＶ校正マガジン１０２ｅまたはＣＶ校正マガジン１０２ｆのＲＦＩＤタグ１９１の個体識別情報を読み取って、校正ユニット１０２が接続されたことを認識する。制御回路２０６は、個体識別情報と校正ユニット１０２の種類との対応を示すテーブルを保持しており、充放電試験装置１０１に接続された校正ユニット１０２がＣＶ校正マガジン１０２ｅまたはＣＶ校正マガジン１０２ｆであることを判別する。或いは、個体識別情報と校正ユニット１０２の種類との対応を示すテーブルの保守管理を行い易いように、パソコン１０３がテーブルの情報を保持してもよい。この場合、制御回路２０６は、ＲＦＩＤリーダ１９２で読み取った個体識別情報をパソコン１０３に通知して、パソコン１０３から接続された校正ユニット１０２の種類や二次電池１５０の情報を取得するようにしてもよい。いずれの場合であっても、制御回路２０６は、充放電試験装置１０１に接続された校正ユニット１０２の種類に応じた校正処理を開始し、充放電回路２０１やＦ／Ｂ回路２０７を制御する。ここで、二次電池１５０と共に試験ライン上に流れてくるＣＶ校正マガジン１０２ｅまたはＣＶ校正マガジン１０２ｆが充放電試験装置１０１に自動的に接続されてもよいし、保守作業者がＣＶ校正マガジンと充放電試験装置１０１との接続を行ってもよい。
【００７４】
ステップＳ２０２において、Ｆ／Ｂ回路２０７は、制御回路２０６の制御により、充放電回路２０１をＣＶ試験モードで予め決められた定電圧を出力するように設定する。なお、制御回路２０６が充放電回路２０１をＣＶ試験モードに設定するようにしてもよい。
【００７５】
ステップＳ２０３において、Ｆ／Ｂ回路２０７は、電圧計２０５から電圧値を読み取る。
【００７６】
ステップＳ２０４において、Ｆ／Ｂ回路２０７は、電圧計２０５から読み取った電圧値と定電圧出力設定の電圧値との電圧差を算出する。
【００７７】
ステップＳ２０５において、Ｆ／Ｂ回路２０７は、ステップＳ２０４で算出した電圧差が予め設定された許容範囲内であるか否かを判別する。電圧差が予め設定された許容範囲内である場合(Yes)、処理は終了し、電圧差が許容範囲外である場合(No)、処理はステップＳ２０６に進む。
【００７８】
ステップＳ２０６において、Ｆ／Ｂ回路２０７は、ステップＳ２０４で算出した電圧差分だけ充放電回路２０１の出力電圧を校正する。
【００７９】
このようにして、本実施形態に係る充放電試験システム１００は、校正ユニット１０２のＣＶ校正マガジン１０２ｅまたはＣＶ校正マガジン１０２ｆにより、充放電試験装置１０１の定電圧設定精度を校正することができる。
（定電流計測精度および定電流設定精度の校正手順）
図１０は、定電流計測精度および定電流設定精度の校正手順の一例を示す。なお、定電流計測精度および定電流設定精度の校正は、図７で説明したＣＣ校正マガジン１０２ｇまたはＣＣ校正マガジン１０２ｈを使用する。なお、図１０のフローチャートにおいて、ステップＳ３０１からステップＳ３０７までの処理は、定電流計測精度の校正処理の手順を示す。また、ステップＳ３０８からステップＳ３１２までの処理は、定電流設定精度の校正処理の手順を示す。
【００８０】
ステップＳ３０１において、ＣＣ校正マガジン１０２ｇまたはＣＣ校正マガジン１０２ｈが充放電試験装置１０１に接続される。ここで、ステップＳ１０１と同様に、制御回路２０６は、ＲＦＩＤリーダ１９２で読み取ったＣＣ校正マガジン１０２ｇまたはＣＣ校正マガジン１０２ｈのＲＦＩＤタグ１９１の個体識別情報により、ＣＣ試験モードにおける校正処理を開始する。なお、二次電池１５０と共に試験ライン上に流れてくるＣＣ校正マガジン１０２ｇまたはＣＣ校正マガジン１０２ｈが充放電試験装置１０１に自動的に接続されてもよいし、保守作業者がＣＣ校正マガジンと充放電試験装置１０１との接続を行ってもよい。
【００８１】
ステップＳ３０２において、Ｆ／Ｂ回路２０７は、制御回路２０６の制御により、ＣＣ試験モードで予め決められた定電流を出力するように充放電回路２０１を設定する。なお、制御回路２０６が充放電回路２０１をＣＣ試験モードに設定するようにしてもよい。
【００８２】
ステップＳ３０３において、Ｆ／Ｂ回路２０７は、電圧計２０３から読み取った電圧値を電流値に変換する。
【００８３】
ステップＳ３０４において、Ｆ／Ｂ回路２０７は、電圧計２０５から読み取った電圧値を電流値に変換する。
【００８４】
ステップＳ３０５において、Ｆ／Ｂ回路２０７は、電圧計２０３から読み取った電流値と電圧計２０５から読み取った電流値との電流差を算出する。
【００８５】
ステップＳ３０６において、Ｆ／Ｂ回路２０７は、ステップＳ３０４で算出した電流差が予め設定された許容範囲内であるか否かを判別する。電流差が予め設定された許容範囲内である場合(Yes)、処理はステップＳ３０８に進み、電流差が許容範囲外である場合(No)、処理はステップＳ３０７に進む。
【００８６】
ステップＳ３０７において、Ｆ／Ｂ回路２０７は、電圧計２０３から読み取った電圧値から変換した電流値をステップＳ３０５で算出した電流差分だけ補正した電流値に置き換えて扱うように設定する。
【００８７】
ステップＳ３０８において、ステップＳ３０２と同様に、Ｆ／Ｂ回路２０７は、制御回路２０６の制御により、ＣＣ試験モードで予め決められた定電流を出力するように充放電回路２０１を設定する。なお、制御回路２０６が充放電回路２０１をＣＣ試験モードに設定するようにしてもよい。また、ステップＳ３０２の設定が変更されていない場合、Ｆ／Ｂ回路２０７は、本ステップの処理を行わなくてもよい。
【００８８】
ステップＳ３０９において、ステップＳ３０４と同様に、Ｆ／Ｂ回路２０７は、電圧計２０５から読み取った電圧値を電流値に変換する。なお、ステップＳ３０４で電圧計２０５から読み取ったときの電流値が保存されている場合、Ｆ／Ｂ回路２０７は、本ステップの処理を行わなくてもよい。
【００８９】
ステップＳ３１０において、Ｆ／Ｂ回路２０７は、電圧計２０５から読み取った電圧値を変換した電流値と定電流出力設定の電流値との電流差を算出する。
【００９０】
ステップＳ３１１において、Ｆ／Ｂ回路２０７は、ステップＳ３１０で算出した電流差が予め設定された許容範囲内であるか否かを判別する。電流差が予め設定された許容範囲内である場合(Yes)、処理は終了し、電流差が許容範囲外である場合(No)、処理はステップＳ３１２に進む。
【００９１】
ステップＳ３１２において、Ｆ／Ｂ回路２０７は、ステップＳ３１０で算出した電流差分だけ充放電回路２０１の出力電流を校正する。
【００９２】
このようにして、本実施形態に係る充放電試験システム１００は、校正ユニット１０２のＣＣ校正マガジン１０２ｇまたはＣＣ校正マガジン１０２ｈにより、充放電試験装置１０１の定電流設定精度を校正することができる。
【００９３】
以上、説明したように、本実施形態に係る充放電試験システム１００は、二次電池１５０と同一又は同様の端子を有する校正ユニット１０２を二次電池１５０の試験ラインに流して校正することができる。そして、本実施形態に係る充放電試験装置１０１は、二次電池１５０の代わりに校正ユニット１０２が接続された場合に、定電圧計測精度の校正、定電圧設定精度の校正、定電流計測精度の校正および定電流設定精度の校正を行うことができる。また、本実施形態に係る校正ユニット１０２は、計測回路や通信可路、或いはバッテリーなどの部品を搭載することなく、簡易な受動部品で充放電試験装置１０１の校正を行うことができる。
【００９４】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００９５】
１００・・・充放電試験システム；１０１・・・充放電試験装置；１０２，１０２ａ，１０２ｂ・・・校正ユニット；１０２ｃ，１０２ｄ・・・ＶＭ校正マガジン；１０２ｅ，１０２ｆ・・・ＣＶ校正マガジン；１０２ｇ，１０２ｈ・・・ＣＣ校正マガジン；１０３・・・パソコン；１１０・・・正極充放電端子；１１１・・・負極充放電端子；１１２・・・正極モニタ端子；１１３・・・負極モニタ端子；１２０，１２０ａ，１２０ｂ・・・正極タブ；１２１，１２１ａ，１２１ｂ・・・負極タブ；１３０，１３０ａ，１３０ｂ，１３１，１３１ａ，１３１ｂ，１４０，１４１・・・配線；１５０・・・二次電池；１９１・・・ＲＦＩＤタグ；１９２・・・ＲＦＩＤリーダ；２０１・・・充放電回路；２０２・・・シャント抵抗；２０３，２０４，２０５・・・電圧計；２０６・・・制御回路；２０７・・・Ｆ／Ｂ回路；３００・・・受動回路；３０１・・・基準電池；３０２・・・終端抵抗；３０３・・・シャント抵抗；８０１・・・パソコン；８０２・・・無線親機；９００・・・充放電試験システム；９０１・・・充放電試験装置；９０２・・・校正ユニット；９０６・・・制御回路；９０７・・・Ｆ／Ｂ回路；９２０・・・正極タブ；９２１・・・負極タブ；９５１・・・計測回路；９５２・・・制御回路；９５３・・・無線子機；９５４・・・バッテリー
【図１】
0006460854.tif 000002
【図２】
0006460854.tif 000003
【図３】
0006460854.tif 000004
【図４】
0006460854.tif 000005
【図５】
0006460854.tif 000006
【図６】
0006460854.tif 000007
【図７】
0006460854.tif 000008
【図８】
0006460854.tif 000009
【図９】
0006460854.tif 000010
【図１０】
0006460854.tif 000011